(57)【要約】      （修正有）【課題】部品点数を削減しコストダウンを図る上で有利なアクセサリーおよび撮像装置用アクセサリーを提供する。【解決手段】ワイドコンバージョンレンズ３０の筒部３２の外周面３４の環状溝５２に係止用リング３６が装着されている。係止爪５４は、欠部４３内で環状部５２の内周部から環状部５２の幅方向に延在する底壁と、底壁の先端から環状部５２の半径方向外方に延在し環状部５２と離れた箇所で第１外周面３８０２の半径方向外方に突出する突出壁とで構成されている。突出壁は、係止爪５４が設けられた環状部５２の部分を環状部５２の半径方向内方に変位させると、第１外周面３８０２よりも半径方向内方に変位する。【選択図】図３
2008158384.tif 000002
【特許請求の範囲】
【請求項１】
機器への結合用の筒部と、
前記筒部の外周面に装着された係止用リングとを備え、
前記係止用リングは、前記外周面に装着される弾性変形可能な環状部と、前記環状部に設けられ前記外周面の半径方向外方に突出する係止爪とを備え、
前記係止爪は、前記係止爪が設けられた前記環状部の部分を前記環状部の半径方向内方に変位させると、前記環状部の部分と一体に前記環状部の半径方向内方に変位する、
ことを特徴とするアクセサリー。
【請求項２】
前記係止爪は、前記環状部の互いに対向する２箇所に設けられている、
ことを特徴とする請求項１記載のアクセサリー。
【請求項３】
前記係止爪が設けられた前記環状部の部分に、前記環状部の半径方向外方に突出する押圧操作用の凸部が設けられている、
ことを特徴とする請求項１記載のアクセサリー。
【請求項４】
前記筒部の外周面に環状溝が設けられ、
前記環状部は、前記環状溝の底面の外径よりも大きな寸法の内径を有して前記環状溝に装着され、
前記係止爪は、前記係止爪が設けられた前記環状部の部分を前記環状部の半径方向内方に変位させると、前記外周面よりも半径方向内方に変位する、
ことを特徴とする請求項１記載のアクセサリー。
【請求項５】
前記筒部の外周面に環状溝が設けられ、
前記環状部は、前記環状溝の底面の外径よりも大きな寸法の内径を有して前記環状溝に装着され、
前記係止爪が設けられた前記環状部の部分とは前記環状部の周方向に異なる箇所に、前記底面または前記環状溝の部分に当接して前記底面と前記環状部とを同軸上に位置させる当接部が設けられている、
ことを特徴とする請求項１記載のアクセサリー。
【請求項６】
前記係止爪は、前記環状部の周方向に１８０度の位相をずらして２つ設けられ、
前記筒部の外周面に環状溝が設けられ、
前記環状部は、前記環状溝の底面の外径よりも大きな寸法の内径を有して前記環状溝に装着され、
前記係止爪が設けられた箇所に対して９０度の位相をずらした前記環状部の箇所に、前記底面または前記環状溝の部分に当接して前記底面と前記環状部とを同軸上に位置させる当接部がそれぞれ設けられている、
ことを特徴とする請求項１記載のアクセサリー。
【請求項７】
前記筒部の外周面に環状溝が設けられ、
前記外周面に、前記環状溝に連通し前記環状溝の幅方向に延在する欠部が設けられ、
前記環状部は、前記環状溝の底面の外径よりも大きな寸法の内径を有して前記環状溝に装着され、
前記環状部は、前記環状部の径方向に沿った厚さと、前記環状部の軸心方向に沿った幅とを有し、
前記係止爪は、前記欠部内で前記環状部の内周部から前記環状部の幅方向に延在する底壁と、前記底壁の先端から前記環状部の半径方向外方に延在し前記環状部と離れた箇所で前記外周面の半径方向外方に突出する突出壁とで構成されている、
ことを特徴とする請求項１記載のアクセサリー。
【請求項８】
前記突出壁は、前記係止爪が設けられた前記環状部の部分を前記環状部の半径方向内方に変位させると、前記外周面よりも半径方向内方に変位する、
ことを特徴とする請求項７記載のアクセサリー。
【請求項９】
前記筒部と前記環状部との間に、前記外周面上での前記係止用リングの回転を阻止する回転阻止機構が設けられている、
ことを特徴とする請求項１記載のアクセサリー。
【請求項１０】
前記係止爪は、前記環状部の周方向に１８０度の位相をずらして２つ設けられ、
前記回転阻止機構は、前記係止爪が設けられた箇所に対して９０度の位相をずらした箇所にそれぞれ設けられている、
ことを特徴とする請求項９記載のアクセサリー。
【請求項１１】
前記筒部の外周面に環状溝が設けられ、
前記環状部は、前記環状溝の底面の外径よりも大きな寸法の内径を有して前記環状溝に装着され、
前記環状溝内での前記係止用リングの回転を阻止する回転阻止機構が設けられ、
前記環状溝の底面に、半径方向外方に突出する第１の突起が設けられ、
前記環状部の内周面で前記係止爪と周方向に離れた箇所に、半径方向内方に突出し周方向において前記第１の突起の両側に当接可能な２つの第２の突起が設けられ、
前記回転阻止機構は、前記第１の突起と、前記２つの第２の突起とを含んで構成されている、
ことを特徴とする請求項１記載のアクセサリー。
【請求項１２】
前記筒部の外周面に環状溝が設けられ、
前記環状部は、前記環状溝の底面の外径よりも大きな寸法の内径を有して前記環状溝に装着され、
前記環状溝内での前記係止用リングの回転を阻止する回転阻止機構が設けられ、
前記環状溝の底面に、半径方向外方に突出する第１の突起が周方向に間隔をおいて２つ設けられ、
前記環状部の内周面で前記係止爪と周方向に離れた箇所に、半径方向内方に突出し周方向において前記２つの第１の突起の互いに離れた箇所に当接可能な２つの第２の突起が設けられ、
前記回転阻止機構は、前記２つの第１の突起と、前記２つの第２の突起とを含んで構成されている、
ことを特徴とする請求項１記載のアクセサリー。
【請求項１３】
前記アクセサリーは、環状の前部ハウジングと、環状の後部ハウジングとが重ねあわされ結合されることで構成されたハウジングを備え、
前記前部ハウジングは前記筒部を有し、
前記前部ハウジングと前記後部ハウジングの合わせ部で前記筒部の外周面の箇所に環状溝が設けられ、
前記環状部は、前記環状溝の底面の外径よりも大きな寸法の内径を有して前記環状溝に装着され、
前記係止爪は、前記係止爪が設けられた前記環状部の部分を前記環状部の半径方向内方に変位させると、前記外周面よりも半径方向内方に変位する、
ことを特徴とする請求項１記載のアクセサリー。
【請求項１４】
前記アクセサリーは、環状の前部ハウジングと、環状の後部ハウジングとが重ねあわされ結合されることで構成されたハウジングを備え、
前記前部ハウジングは前記筒部を有し、
前記前部ハウジングと前記後部ハウジングの合わせ部で前記筒部の外周面の箇所に環状溝が設けられ、
前記環状部は、前記環状溝の底面の外径よりも大きな寸法の内径を有して前記環状溝に装着され、
前記前部ハウジングと前記後部ハウジングとは、前後方向に延在するねじにより結合され、
前記前部ハウジングに、前記環状溝内を前後に延在し前記ねじの挿通孔が形成されたボス部が前記環状溝の周方向に離れた箇所にそれぞれ設けられ、
前記係止爪とは周方向に離れた前記環状部の互いに対向する箇所に、半径方向内方に突出し前記ボス部に当接して前記底面と前記環状部とを同軸上に位置させる当接部がそれぞれ設けられている、
ことを特徴とする請求項１記載のアクセサリー。
【請求項１５】
前記筒部の内部に光学部品が保持されている、
ことを特徴とする請求項１記載のアクセサリー。
【請求項１６】
前記係止用リングは合成樹脂製であり、型により一体成形されている、
ことを特徴とする請求項１記載のアクセサリー。
【請求項１７】
内部に光学部品が保持された環状のハウジングと、
前記ハウジングに設けられた撮像装置への結合用の外周面と、
前記外周面に設けられた環状溝と、
前記環状溝に装着された係止用リングとを備え、
前記係止用リングは、前記環状溝に装着される弾性変形可能な環状部と、前記環状部に設けられ前記外周面の半径方向外方に突出する係止爪とを備え、
前記係止爪は、前記係止爪が設けられた前記環状部の部分を前記環状部の半径方向内方に変位させると、前記環状部の部分と一体に変位して前記外周面よりも半径方向内方に変位する、
ことを特徴とする撮像装置用アクセサリー。
【請求項１８】
前記光学部品はレンズである、
ことを特徴とする請求項１７記載の撮像装置用アクセサリー。
【発明の詳細な説明】
【技術分野】
【０００１】
本発明は撮像装置などにワンタッチで着脱できるアクセサリーおよび撮像装置用アクセサリーに関する。
【背景技術】
【０００２】
デジタルカメラやビデオカメラなどの撮像装置に使用されるアクセサリーとして、例えば、コンバージョンレンズが挙げられる。
この種のコンバージョンレンズは、撮像装置に対して係脱するための係止爪が設けられている（特許文献１参照）。
【特許文献１】特開平１０−６２８５６号公報
【発明の開示】
【発明が解決しようとする課題】
【０００３】
しかしながら、このようなコンバージョンレンズを含む従来のアクセサリーは、係止爪を配設するに際して、複数の部材を組み合わせており、部品点数を削減しコストダウンを図る上で不利があった。
本発明はこのような事情に鑑みなされたものであり、その目的は、部品点数を削減しコストダウンを図る上で有利なアクセサリーおよび撮像装置用アクセサリーを提供することにある。
【課題を解決するための手段】
【０００４】
上述の目的を達成するため、本発明のアクセサリーは、機器への結合用の筒部と、前記筒部の外周面に装着された係止用リングとを備え、前記係止用リングは、前記外周面に装着される弾性変形可能な環状部と、前記環状部に設けられ前記外周面の半径方向外方に突出する係止爪とを備え、前記係止爪は、前記係止爪が設けられた前記環状部の部分を前記環状部の半径方向内方に変位させると、前記環状部の部分と一体に前記環状部の半径方向内方に変位することを特徴とする。
また本発明の撮像装置用アクセサリーは、内部に光学部品が保持された環状のハウジングと、前記ハウジングに設けられた撮像装置への結合用の外周面と、前記の外周面に設けられた環状溝と、前記環状溝に装着された係止用リングとを備え、前記係止用リングは、前記環状溝に装着される弾性変形可能な環状部と、前記環状部に設けられ前記外周面の半径方向外方に突出する係止爪とを備え、前記係止爪は、前記係止爪が設けられた前記環状部の部分を前記環状部の半径方向内方に変位させると、前記環状部の部分と一体に変位して前記外周面よりも半径方向内方に変位することを特徴とする。
【発明の効果】
【０００５】
本発明によれば、係止爪が係止用リングに一体的に設けられており、係止用リングをつまむという簡単な動作により、係止爪の出没を行うことができる。
したがって、単一の係止用リングを用いてアクセサリーを機器に装脱でき、部品点数の削減化、コストダウンを図る上で有利となる。
【発明を実施するための最良の形態】
【０００６】
次に本発明の実施の形態について図面を参照して説明する。
図１はビデオカメラ１０、アダプタリング２０、ワイドコンバージョンレンズ３０の斜視図、図２はワイドコンバージョンレンズ３０の平面図、図３はワイドコンバージョンレンズ３０の断面図である。
図４はワイドコンバージョンレンズ３０とアダプタリング２０との関係図、図５は凸部５６を押圧操作した際のワイドコンバージョンレンズ３０とアダプタリング２０との関係図である。
図６（Ａ）は係止用リング３６の斜視図、（Ｂ）は凸部５６を押圧操作した状態の係止用リング３６の斜視図である。
図７は係止用リング３６と前部ハウジング３８との関係図、図８は凸部５６を押圧操作した状態の係止用リング３６と前部ハウジング３８との関係図である。
本実施の形態では、アクセサリーがビデオカメラに装着されるワイドコンバージョンレンズである場合を例にとって説明する。
図１に示すように、ワイドコンバージョンレンズ３０が装着されるビデオカメラ１０は外装を構成するケース１２を有し、ケース１２の右側部には、撮像した画像が表示されるディスプレイパネル１４が開閉可能に設けられ、ケース１４の左側部には、画像データをディスク状記録媒体に記録、再生する記録再生部１６が設けられている。
ケース１２の前部に、被写体像をケース１２内に組み込まれた撮像素子に導く鏡筒１８が設けられている。
【０００７】
鏡筒１８の前端にアダプタリング２０が取着されている。
図３に示すように、アダプタリング２０は中空状を呈し、雄ねじ部２００２と、雄ねじ部２００２と同軸上で雄ねじ部２００２よりも大きな外径の筒部２００４と、それら筒部２００４と雄ねじ部２００２とを連結する環板部２００６とを有している。
筒部２００４の内周面には環状の係合溝２００８が形成されている。
アダプタリング２０は、雄ねじ部２００２が鏡筒１８の前端の雌ねじ１８０２に螺合することで鏡筒１８に装着されている。
【０００８】
図２、図３に示すように、ワイドコンバージョンレンズ３０は、ハウジング３００２と、ハウジング３００２に収容されたレンズ３００４と、ハウジング３００２の筒部３２の外周面３４に装着された係止用リング３６とを備え、筒部３２はアダプタリング２０へ結合される箇所である。
図３に示すように、ハウジング３００２は、環状の後部ハウジング３８と、環状の前部ハウジング４０と、飾りリング４２とが重ねあわされ結合されることで構成されている。
【０００９】
後部ハウジング３８は、互いに同軸上を延在する第１外周面３８０２と、第１外周面３８０２よりも直径の小さい第２外周面３８０４と、第２外周面３８０４の内側に位置する第１内周面３８０６と、後端面３８０８を有している。
第２外周面３８０４は、軸心方向において第１外周面３８０２の前端よりも前方に変位した箇所に位置している。
ここで、前方とは被写体側をいう。
後端面３８０８は、第１外周面３８０２の後端と第１内周面３８０６の後端とを接続しその中央に第１内周面３８０６よりも小さい内径の後端開口３８１０を有している。
筒部３２はそれら第１外周面３８０２、第２外周面３８０４、第１内周面３８０６、後端面３８０８を含んで構成されている。
【００１０】
図３、図７に示すように、第１外周面３８０２の周方向に間隔をおいた２箇所に、第１外周面３８０２の前縁から後端面３８０８にわたって延在する欠部４３が設けられている。
図３に示すように、この欠部４３の底部は第２外周面３８０４で形成されている。
【００１１】
図７に示すように、第２外周面３８０４に第１の突起３８１２と凸部３８１４が設けられている。
第１の突起３８１２は第２外周面３８０４の互いに対向する箇所に設けられ、すなわち第２外周面３８０４の周方向に１８０度の間隔をおいて設けられ、それらの箇所において周方向に間隔をおいて２つ設けられ、したがって、合計４つ設けられている。
各第１の突起３８１２は、第２外周面３８０４の径方向と平行する方向に延在し第２外周面３８０４から第１外周面３８０２にわたって延在している。
これらの第１の突起３８１２は、後述する係止用リング３６の回転阻止機構を構成するものである。
【００１２】
図７に示すように、凸部３８１４は、径方向において第１外周面３８０２（図３参照）と第２外周面３８０４との中間の箇所に設けられている。
凸部３８１４は第２外周面３８０４の互いに対向する箇所に設けられ、すなわち第２外周面３８０４の周方向に１８０度の間隔をおいて設けられている。
本実施の形態では、凸部３８１４は、２つの第１の突起３８１２の間に設けられている。
これらの凸部３８１４は、後述する係止用リング３６の当接部５８が当接する箇所である。
本実施の形態では、図３に示すように、後部ハウジング３８と前部ハウジング４０はねじ４４により結合され、凸部３８１４はねじ４４の挿通孔３８１６が形成されたボス部３８１８を構成している。なお、このねじ４４の挿通孔３８１６は後端面３８０８に開口している。
【００１３】
図３に示すように、前部ハウジング４０は、第３外周面４００２と、第３外周面４００２の内側に位置する第２内周面４００４と、後端面４００６とを有し、第３外周面４００２と第２内周面４００４は互いに同軸上を延在している。
後端面４００６は、第３外周面４００２の後端と第２内周面４００４の後端とを接続しその中央に第２内周面４００４よりも小さく第２外周面３８０４よりも大きい内径の前端開口４００８を有している。
後端面４００６の周方向に間隔をおいた２箇所で凸部３８１４に対応した箇所にねじ４４挿通用の欠部４０１０が形成されている。
【００１４】
図２に示すように、飾りリング４２は環板状を呈し、第２内周面４００４に挿入される外径で形成され、また、前端開口４００８（図３参照）よりも小さい内径で形成されている。
図３に示すように、飾りリング４２の周方向に間隔をおいた２箇所で欠部４０１０に対応した箇所にボス部４２０２が設けられ、このボス部４２０２にねじ４４が螺合される雌ねじ４２０４が形成されている。
【００１５】
ワイドコンバージョンレンズ３０の組み付けは次のようになされる。
図３に示すように、後部ハウジング３８の第２外周面３８０４上に係止用リング３６が掛装され、また、第１内周面３８０６の内側にレンズ３００４が挿入される。
一方、前部ハウジング４０の第２内周面４００４に飾りリング４２が挿入され、飾りリング４２のボス部４２０２が後端面４００６の欠部４０１０に挿入される。
そして、前部ハウジング４０の前端開口４００８の内側に第２外周面３８０４が挿入され、前部ハウジング４０の後端面４００６を突起３８１２および凸部３８１４の先端に合わせる。
そして、挿通孔３８１６に挿通したねじ４４を飾りリング４２のボス部４２０２のねじ孔４２０４に締め付け、これにより後部ハウジング３８と前部ハウジング４０とが組み付けられる。
なお、レンズ３００４は、第１内周面３８０６の内側で、後端開口３８１０を構成する壁部と飾りリング４２により挟持固定される。
【００１６】
このように後部ハウジング３８と前部ハウジング４０が組み付けられた状態で、第２外周面３８０４の前端に前部ハウジング４０の後端面４００６が位置し、第１外周面３８０２と第３外周面４００２との間に第２外周面３８０４を底面とした環状溝５０が形成される。
そして、係止用リング３６はこの環状溝５０に配設されることになる。
【００１７】
図３、図６（Ａ）に示すように、係止用リング３６は、筒部３２の外周面３４に装着される弾性変形可能な環状部５２と、環状部５２に設けられ外周面３４の半径方向外方に突出する係止爪５４とを備えている。
係止用リング３６は、本実施の形態では、合成樹脂製であり、型により一体成形されている。
係止爪５４は、係止爪５４が設けられた環状部５２の部分を環状部５２の半径方向内方に変位させると、環状部５２の部分と一体に環状部５２の半径方向内方に変位する。
係止爪５４は、環状部５２の互いに対向する２箇所に設けられている。
係止爪５４が設けられた環状部５２の部分に、環状部５２の半径方向外方に突出する押圧操作用の凸部５６が設けられている。
【００１８】
環状部５２は、環状溝５０の底面である第２外周面３８０４の外径よりも大きな寸法の内径を有して環状溝５０に装着されている。
図６（Ａ）、図７に示すように、係止爪５４が設けられた環状部５２の部分とは環状部５２の周方向に異なる箇所に、環状溝５０の底面（第２外周面３８０４）または環状溝５０の部分に当接して底面と環状部５２とを同軸上に位置させる当接部５８が設けられている。
本実施の形態では、当接部５８は、係止爪５４が設けられた箇所に対して９０度の位相をずらした環状部５２の箇所５２Ａに設けられている。
本実施の形態では、当接部５８は、後部ハウジング３８の凸部３８１４に当接するように設けられている。
当接部５８が凸部３８１４に当接することで係止用リング３６が環状溝５０（図３参照）と同軸上に支持されることになり、環状溝５０の径方向における係止用リング３６のがたつきが防止される。
【００１９】
また、図６（Ａ）、図７に示すように、環状部５２の内周面で係止爪５４と周方向に離れた箇所に、半径方向内方に突出し周方向において第１の突起３８１２の両側に当接可能な２つの第２の突起６０が設けられている。
本実施の形態では、第２外周面３８０４の互いに対向する箇所に第１の突起３８１２が２つずつ設けられているので、第２の突起６０は、第２外周面３８０４の互いに対向する箇所において２つの突起３８１２を周方向から挟むように２つ設けられ、合計４つ設けられている。
第１の突起３８１２と第２の突起６０とにより環状溝５０内での係止用リング３６の回転を阻止する回転阻止機構が構成されている。
すなわち、回転阻止機構により環状溝５０（図３参照）の周方向における係止用リング３６のがたつきが防止される。
本実施の形態では、環状部５２の周方向において当接部５８は２つの第２の突起６０の中央に設けられている。
【００２０】
図６（Ａ）に示すように、環状部５２は、環状部５２の径方向に沿った厚さと、環状部５２の軸心方向に沿った幅とを有している。
係止爪５４は、欠部４３（図３参照）内で環状部５２の内周部から環状部５２の幅方向に延在する底壁５４０２と、底壁５４０２の先端から環状部５２の半径方向外方に延在し環状部５２と離れた箇所で第１外周面３８０２（図３参照）の半径方向外方に突出する突出壁５４０４とで構成されている。
突出壁５４０４は、係止爪５４が設けられた環状部５２の部分を環状部５２の半径方向内方に変位させると、第１外周面３８０２よりも半径方向内方に変位する。この状態を図５、図６、図８に示す。すなわち、押圧操作用の２つの凸部５６をつまむと、突出壁５４０４は第１外周面３８０２の内側に変位し、同時に係止爪５４が設けられた環状部５２の部分も環状部５２の半径方向内方に変位し、同時に凸部５６とは９０度位相の異なる環状部５２の部分５２Ａが、環状部５２の半径方向外方に変位する。
また、２つの凸部５６から指を離すと、環状部５２の弾性により図４、図７に示す当初の位置に復帰し、突出壁５４０４は第１外周面３８０２の半径方向外方に突出する。
この係止爪５４は、筒部３２をアダプタリング２０の筒部２００４の内周面に係合させた際に係合溝２００８に係合し、アダプタリング２０からのワイドコンバージョンレンズ３０の抜落を防止するものである。
本実施の形態では、係止爪５４に傾斜面５４１０（図６参照）が形成され、より詳細には突出壁５４０４に傾斜面５４１０が形成されている。
【００２１】
ワイドコンバージョンレンズ３０が組み立てられた状態で、図３、図４に示すように、押圧操作用の凸部５６は前部ハウジング４０の第３外周面４００２の半径方向外側に突出している。
本実施の形態では、凸部５６を押圧しない状態では、係止爪５４は欠部４３から第１外周面３８０２の外方に突出している。
ワイドコンバージョンレンズ３０をその後端面３８０８をアダプタリング２０の内側に向けてアダプタリング２０に押し込むと、係止爪５４の傾斜面５４１０（図６参照）がアダプタリング２０の筒部２００４の内周面に当接し、これにより係止爪５４が強制的に第１外周面３８０２の半径方向内側に没入する。
そして、ワイドコンバージョンレンズ３０の第１外周面３８０２がアダプタリング２０の筒部２００４に挿入され、係止爪５４が係合溝２００８に位置すると、環状部５２の弾性により第１外周面３８０２の半径方向外方に突出し、係合溝２００８に係合する。
無論、押圧操作用の２つの凸部５６をつまんでも、係止爪５４が第１外周面３８０２の半径方向内側に没入し、ワイドコンバージョンレンズ３０の第１外周面３８０２がアダプタリング２０の筒部２００４に挿入されたところで凸部５６から指を離すと、環状部５２の弾性により第１外周面３８０２の半径方向外方に突出し、係合溝２００８に係合する。
【００２２】
ワイドコンバージョンレンズ３０を取り外す場合には、一対の凸部５６を指により押圧する。
これにより、図６（Ｂ）、図８に示すように、係止用リング３６が変形し突出壁５４０４が第１外周面３８０２（図３参照）の半径方向内方に没入する。
したがって、ユーザは一対の凸部５６を指によって押圧した状態でワイドコンバージョンレンズ３０をアダプタリング２０から引き抜くことでワイドコンバージョンレンズ３０を取り外すことができる。
なお、一対の凸部５６を指により押圧すると、図８に示すように、第２の突起６０や当接部５８が設けられた箇所５２Ａは第２外周面３８０４から離れる方向に変位するが、第１の突起３８１２と第２の突起６０とは係合した状態を保持しているので、一対の凸部５６の押圧を解除すると、当接部５８が凸部３８１４に当接し、係止用リング３６は当初の位置に復帰する。
【００２３】
本実施の形態によれば、係止爪５４が係止用リング３６に一体的に設けられており、係止用リング３６をつまむという簡単なワンタッチ動作により、係止爪５４の出没を行うことができる。
したがって、ワイドコンバージョンレンズ３０のアダプタリング２０への係脱機構を、単一の係止用リング３６を用いて構成でき、部品点数の削減化、コストダウンを図る上で有利となる。
さらに、係止用リング３６は合成樹脂製で型により量産可能であるため、コストダウンを図る上でよりいっそう有利である。
また、係止用リング３６の内側に光学系の光路を確保できるので、光学部品が組み込まれたアクセサリーに特に好適となる。
【００２４】
なお、第１の突起３８１２、第２の突起６０からなる回転阻止機構を省略してもよいが、本実施の形態のように回転阻止機構を設けると、係止用リング３６の環状溝５０内での周方向への動きを阻止でき、使い勝手を向上する上で有利となる。
また、互いに当接する凸部３８１４と当接部５８を省略してもよいが、本実施の形態のように凸部３８１４と当接部５８を設けると、係止用リング３６の環状溝５０内での径方向の動きを阻止でき、使い勝手を向上する上で有利となる。
【００２５】
図９（Ａ）、（Ｂ）、（Ｃ）はそれぞれ光学フィルターとアダプタリングとの関係図、ワイドコンバージョンレンズとアダプタリングとの関係図、テレコンバージョンレンズとアダプタリングとの関係図を示す。
これらの図に示すように、本発明の対象となるアクセサリーはワイドコンバージョンレンズに限定されず、図９（Ａ）に示す光学フィルター３０や図９（Ｃ）に示すテレコンバージョンレンズ３０を含む従来公知のさまざまな光学部品が組み込まれたものに適用可能である。
この場合、図９（Ａ）、（Ｂ）、（Ｃ）に示すように、アダプタリング２０の雄ねじ部２００２の径を、Ｍ１、Ｍ２、Ｍ３のように変えることで、雌ねじの径の異なる撮像装置に取り付けることが可能となる。
また、本発明の対象となるアクセサリーは、光学部品が組み込まれたものに限定されず、レンズキャップなどのキャップ全般あるいはレンズフードなどにも適用可能である。
【図面の簡単な説明】
【００２６】
【図１】ビデオカメラ１０、アダプタリング２０、ワイドコンバージョンレンズ３０の斜視図である。
【図２】ワイドコンバージョンレンズ３０の平面図である。
【図３】ワイドコンバージョンレンズ３０の断面図である。
【図４】ワイドコンバージョンレンズ３０とアダプタリング２０との関係図である。
【図５】凸部５６を押圧操作した際のワイドコンバージョンレンズ３０とアダプタリング２０との関係図である。
【図６】（Ａ）は係止用リング３６の斜視図、（Ｂ）は凸部５６を押圧操作した状態の係止用リング３６の斜視図である。
【図７】係止用リング３６と前部ハウジング３８との関係図である。
【図８】凸部５６を押圧操作した状態の係止用リング３６と前部ハウジング３８との関係図である。
【図９】（Ａ）、（Ｂ）、（Ｃ）はそれぞれ光学フィルターとアダプタリングとの関係図、ワイドコンバージョンレンズとアダプタリングとの関係図、テレコンバージョンレンズとアダプタリングとの関係図である。
【符号の説明】
【００２７】
１８……鏡筒、２０……アダプタリング、３０……ワイドコンバージョンレンズ、３２……筒部、３６……係止用リング、４２……飾りリング、５４……係止爪。
【図１】
2008158384.tif 000003
【図２】
2008158384.tif 000004
【図３】
2008158384.tif 000005
【図４】
2008158384.tif 000006
【図５】
2008158384.tif 000007
【図６】
2008158384.tif 000008
【図７】
2008158384.tif 000009
【図８】
2008158384.tif 000010
【図９】
2008158384.tif 000011